(57)【要約】【課題】  可動接点と固定接点との接触を確実に行なえると共に、２段スイッチ操作が可能な可動接点付シート及びこれを用いた入力装置を提供する。【解決手段】  第１の可動接点３を下面側に保持する第１のシート４と、第１のシート４の上面側に配置されると共に、下面側に第２の可動接点５を保持する第２のシート６とを備え、第１のシート４に、第１の可動接点３の一部が露出可能な第１の開口部４ａを設け、第１の開口部４ａを介して第１の可動接点３と第２の可動接点５とを接触可能に対向させると共に、第１の開口部４ａの外周に第２の可動接点５の外周縁部５ｂが露出可能な第２の開口部４ｂを設け、第２の可動接点５の外周縁部５ｂを第２の開口部４ｂに一致させた状態で、第２の可動接点５を第１のシート４の上面側に第２のシート６で保持させた。【選択図】        図２
2005259460.tif 000002
【特許請求の範囲】
【請求項１】
ドーム状の膨出部を有する第１の可動接点と、この第１の可動接点よりも一回り大きなドーム状の膨出部を有し、前記第１の可動接点の上方に配置される第２の可動接点と、前記第１の可動接点を下面側に保持する第１のシートと、この第１のシートの上面側に配置されると共に、下面側に前記第２の可動接点を保持する第２のシートとを備え、前記第１のシートに、前記第１の可動接点の一部が露出可能な第１の開口部を設け、この第１の開口部を介して前記第１の可動接点と前記第２の可動接点とを接触可能に対向させると共に、前記第１の開口部の外周に前記第２の可動接点の外周縁部が露出可能な第２の開口部を設け、前記第２の可動接点の外周縁部を前記第２の開口部に一致させた状態で、前記第２の可動接点を前記第１のシートの上面側に前記第２のシートで保持させたことを特徴とする可動接点付シート。
【請求項２】
前記第２の可動接点は、その外周縁部を前記第２の開口部から前記第１のシートの下面側へ貫通させて延出したことを特徴とする請求項１記載の可動接点付シート。
【請求項３】
前記第１のシートの下面に粘着層を設け、前記第１の可動接点及び第２の可動接点と前記第２のシートを一体として剥離可能なように、前記第１のシートを前記粘着層により剥離シートに保持したことを特徴とする請求項１、又は２記載の可動接点付シート。
【請求項４】
前記第１のシートの下面側に前記第１の可動接点を複数個保持すると共に、前記第２の可動接点を保持する前記第２のシートを、前記第１の可動接点を保持した前記第１のシートの上面に対応させて部分的に設けるようにしたことを特徴とする請求項３記載の可動接点付シート。
【請求項５】
請求項１乃至４の何れかに記載の可動接点付シートと、前記第１の可動接点、及び前記第２の可動接点と接続される複数の固定接点が配設され、これらの固定接点に対応させて前記可動接点付シートが積層される基台とを備えたことを特徴とする入力装置。
【発明の詳細な説明】
【技術分野】
【０００１】
本発明は、電子機器等の入力装置に使用される可動接点付シートに係り、特に１段スイッチ用の可動接点と２段スイッチ用の可動接点とを備えた可動接点付シート及びこれを用いた入力装置に関する。
【背景技術】
【０００２】
従来の２段スイッチの構造としては、ドーム状の可動接点全体を基台（配線基板）の固定接点から浮かした状態で、基板に積層されるシート（カバーフィルム）に貼り付けた構成からなり、シートが押圧されると可動接点の外周縁部が下降し１段目の固定接点と接触して１段目のスイッチがオンし、更にシートを押圧することにより可動接点が反転してその中央部が２段目の固定接点と接触して２段目のスイッチがオンになる構成のものが知られている（例えば、特許文献１参照）。
【０００３】
以下、従来の２段スイッチの構造を図に基づいて説明する。
図６は従来の２段スイッチの分解斜視図、図７は図６のＸ−Ｘ線における断面図、図８は接点パターンの要部上面図である。
【０００４】
図において、２１は下方絶縁基体である配線基板で、上面には、第一〜第三接点２２〜２４が配されている。第一接点２２は、円形に形成された第三接点２４の外周から所定の間隔をあけて同芯的に配された内周細幅部２２Ａに、所定の角度ピッチで外方に突出形成された放射状部２２Ｂにより構成されている。
また、第二接点２３は、上記第一接点２２の放射状部２２Ｂの外周部から僅かな間隔をあけて第三接点２４に同芯的に配された外周細幅部２３Ａに、上記第一接点２２の放射状部２２Ｂどうしの間の部分に向かって延設形成された放射状部２３Ｂによって構成されている。
【０００５】
第一接点２２の引き出し部２２Ｃは、放射状部２２Ｂの外周部から引き出されており、また、第二接点２３の引き出し部２３Ｃは、放射状部２３Ｂの外周部から引き出されている。また、第一および第二接点２２、２３によって周囲を囲まれている第三接点２４は、スルーホール部２４Ａを介して配線基板２１の裏面側に導出されて引き出し部２４Ｂにより引き出されている。また、上記第一および第二接点２２、２３の最外周位置およびその引き出し部２２Ｃ，２３Ｃの上部には絶縁レジスト２５が塗布形成されている。
【０００６】
また、上記配線基板２１の上方には、スペーサ２６が配設され、上記第一〜第三接点２２〜２４からなる接点パターンと、スペーサ２６に設けられた孔２６Ａの位置は対応している。また、スペーサ２６の上方には、上方絶縁基材である可撓性を有するカバーフィルム２８が粘着剤２８Ａにより粘着固定されており、スペーサ２６の孔２６Ａ内に対応するカバーフィルム２８の裏面には、円形ドーム状に形成された金属薄板製の可動接点２９の中央頂点部２９Ｂおよびその近傍が粘着剤２８Ａにより固着されている。
【０００７】
そして、可動接点２９は、上記配線基板２１上に略リング状に配列されている第一および第二接点２２、２３の放射状部２２Ｂ、２３Ｂの幅方向の中間位置に外周下端２９Ａが対応するように、かつその放射状部２２Ｂ、２３Ｂと外周下端２９Ａとは、上下方向に所定の間隔をあけるようにして、カバーフィルム２８に固着されてスペーサ２６の孔２６Ａ内に収容されている。
【０００８】
次に動作を説明すると、カバーフィルム２８の上方から所定の操作力を加えると、カバーフィルム２８が少し撓んで可動接点２９全体が下方に移動し、外周下端２９Ａが、第一および第二接点２２、２３の放射状部２２Ｂ、２３Ｂに当接して、第一接点２２と第二接点２３との間を接続させ導通させる。
一方、カバーフィルム２８の上方から可動接点２９の反転動作力より大きい押圧操作力を加えると、まずカバーフィルム２８が撓んで可動接点２９全体が下方に移動してその外周下端２９Ａが第一および第二接点２２、２３ に当接した後、可動接点２９が反転動作して、中央頂点部２９Ｂが第三接点２４に当接した状態となる。
このように本実施のスイッチは、操作する際の力の大きさによって二通りの回路の接続状態を使い分けて得ることができるものである。
【０００９】
【特許文献１】特開２００１−２９７６５７号公報
【発明の開示】
【発明が解決しようとする課題】
【００１０】
しかしながら、上述した従来の２段スイッチの構造においては、可動接点２９全体が配線基板２１に配設された固定接点である第一〜第三接点２２〜２４から浮き上がっているため、カバーフィルム２８との取付け状態によっては固定接点との接触が不安定になり、また、カバーフィルム２８から脱落する可能性があるという問題があった。
【００１１】
したがって、本発明では上述した問題点を解決し、可動接点と固定接点との接触を確実に行なえると共に、２段スイッチ操作が可能な可動接点付シート及びこれを用いた入力装置を提供することを目的とする。
【課題を解決するための手段】
【００１２】
上記課題を解決するために本発明では第１の解決手段として、ドーム状の膨出部を有する第１の可動接点と、この第１の可動接点よりも一回り大きなドーム状の膨出部を有し、前記第１の可動接点の上方に配置される第２の可動接点と、前記第１の可動接点を下面側に保持する第１のシートと、この第１のシートの上面側に配置されると共に、下面側に前記第２の可動接点を保持する第２のシートとを備え、前記第１のシートに、前記第１の可動接点の一部が露出可能な第１の開口部を設け、この第１の開口部を介して前記第１の可動接点と前記第２の可動接点とを接触可能に対向させると共に、前記第１の開口部の外周に前記第２の可動接点の外周縁部が露出可能な第２の開口部を設け、前記第２の可動接点の外周縁部を前記第２の開口部に一致させた状態で、前記第２の可動接点を前記第１のシートの上面側に前記第２のシートで保持させた構成とした。
【００１３】
また、第２の解決手段として、前記第２の可動接点は、その外周縁部を前記第２の開口部から前記第１のシートの下面側へ貫通させて延出した構成とした。
また、第３の解決手段として、前記第１のシートの下面に粘着層を設け、前記第１の可動接点及び第２の可動接点と前記第２のシートを一体として剥離可能なように、前記第１のシートを前記粘着層により剥離シートに保持した構成とした。
【００１４】
また、第４の解決手段として、前記第１のシートの下面側に前記第１の可動接点を複数個保持すると共に、前記第２の可動接点を保持する前記第２のシートを、前記第１の可動接点を保持した前記第１のシートの上面に対応させて部分的に設けるようにした構成とした。
また、第５の解決手段として、第１乃至第４の解決手段の何れかに記載の可動接点付シートと、前記第１の可動接点、及び前記第２の可動接点と接続される複数の固定接点が配設され、これらの固定接点に対応させて前記可動接点付シートが積層される基台とを備えた構成とした。
【発明の効果】
【００１５】
上述したように、本発明の可動接点付シートは、ドーム状の膨出部を有する第１の可動接点と、第１の可動接点よりも一回り大きなドーム状の膨出部を有し、第１の可動接点の上方に配置される第２の可動接点と、第１の可動接点を下面側に保持する第１のシートと、第１のシートの上面側に配置されると共に、下面側に第２の可動接点を保持する第２のシートとを備え、第１のシートに、第１の可動接点の一部が露出可能な第１の開口部を設け、第１の開口部を介して第１の可動接点と第２の可動接点とを接触可能に対向させると共に、第１の開口部の外周に第２の可動接点の外周縁部が露出可能な第２の開口部を設け、第２の可動接点の外周縁部を第２の開口部に一致させた状態で、第２の可動接点を第１のシートの上面側に第２のシートで保持させたことから、２段スイッチ用の下側の第１の可動接点を保持する第１のシートに第１の開口部を設け、第１のシートの上面側に保持した上側の第２の可動接点を、この第１の開口部を介して第１の可動接点と接触可能に保持すると共に、その外周縁部を第２の開口部を介して第１のシートの下側へ露出させたので、第１のシートの第１及び第２の開口部を介して上側の第２の可動接点と、下側の第１の可動接点及び第１のシートの下面側に配設される基板の固定接点との接触を確実に行なえ、２段スイッチ操作が可能となる。
また、共通の第１のシートに上側及び下側の第１及び第２の可動接点を一体的に保持できるので、スイッチの組立が容易となる。
【００１６】
また、第２の可動接点は、外周縁部を第２の開口部から第１のシートの下面側へ貫通させて延出したことから、固定接点に段差のないプリント基板などの基板を用いても上側の第２の可動接点と固定接点との接触を確実に行なえる。
また、第１のシートの下面に粘着層を設け、第１の可動接点及び第２の可動接点と第２のシートを一体として剥離可能なように、第１のシートを粘着層により剥離シートに保持したことから、可動接点付シートの搬送や組立て作業における取り扱いを容易に行なえる。
【００１７】
また、第１のシートの下面側に第１の可動接点を複数個保持すると共に、第２の可動接点を保持する第２のシートを、第１の可動接点を保持した第１のシートの上面に対応させて部分的に設けるようにしたことから、２段スイッチ用の第２の可動接点と、１段スイッチ用の第１の可動接点を共通の第１のシートに混載でき、スイッチへの組み込みが容易となる。
また、２段スイッチ用の第２の可動接点の保持用の第２のシートを部分的に設けるようにしたので、可動接点付シートの厚みが増すことによる操作フィーリングの劣化を防止できる。
【００１８】
また、第１乃至第４の解決手段の何れかに記載の可動接点付シートと、第１の可動接点、及び第２の可動接点と接続される複数の固定接点が配設され、これらの固定接点に対応させて可動接点付シートが積層される基台とを備えたことから、可動接点付シートを固定接点が配設された基板上に積層するだけで２段スイッチが得られるので、２段スイッチを備えた入力装置の組立を簡単に行なうことができる。
【発明を実施するための最良の形態】
【００１９】
以下、本発明の可動接点付シート及びこれを用いた入力装置の実施形態を図１乃至図５に示す。図１は本発明の可動接点付シートの分解斜視図、図２は本発明の可動接点付シートの要部断面図、図３は本発明の可動接点付シートの１段目用スイッチの動作状態を示す要部断面図、図４は本発明の可動接点付シートの２段目用スイッチの動作状態を示す要部断面図、図５は本発明の可動接点付シートを使用したシートタイプのスイッチを示す分解斜視図である。
【００２０】
図１及び図２において、可動接点付シートが積層される基台となる回路基板１は、フェノール樹脂等の積層板で平板状に形成されており、この回路基板１の表面には、銅箔などの導電性の金属材料からなる複数の固定接点２が配設されている。この固定接点２は、中央に設けられた円形の第１接点部２ａと、この第１接点部１ａの外周に円環状に設けられた第２接点部２ｂと、更にこの第２接点部２ｂの外周に円環状に設けられた第３接点部２ｃとを有している。これらの第１接点部２ａ乃至第３接点部２ｃは個々に離間して非導通となっており、図示しないリードパターンと回路基板１の裏面で接続されている。
【００２１】
第１の可動接点３は、導電性の金属板でドーム状の膨出部を有する円形状に形成されており、前記固定接点２と接続される中央頂部３ａと外周縁部３ｂとを有している。この第１の可動接点３が前記回路基板１上に配設される際には、外周縁部３ｂが前記第２接点部２ｂと常時接触した状態で載置され、中央頂部３ａ下面が前記第１接点部２ａと一定の空隙を持って対向して配置されるものとなる。
【００２２】
第１のシート４は、ポリイミド等からなるフィルム状の絶縁材から形成されている。この第１のシート４には、円形状の貫通孔からなる第１の開口部４ａと、この第１の開口部４ａの外周にそれぞれ対向して設けられた一対の円弧状の貫通孔からなる第２の開口部４ｂ、４ｂとを有している。
また、第１のシート４の下面側には一面に粘着層（図示せず）が形成されており、この粘着層に前記第１の可動接点３のドーム部の上面側が貼着されて、第１のシート４に第１の可動接点３が一体化されている。この時、前記第１の開口部４ａから、第１の可動接点３の中央頂部３ａの上面側が露出した状態となっている。
【００２３】
第２の可動接点５は、導電性の金属板で外形が略楕円状に形成されており、前記第１の可動接点３よりも一回り大きなドーム状の膨出部を有している。この第２の可動接点５は、前記第１の可動接点３と接続される中央頂部５ａと前記固定接点２と接続される一対の外周縁部５ｂとを有している。この一対の外周縁部５ｂは第２の可動接点５の長手方向に設けられており、短手方向の外周縁部よりも下方に向けて長く突出して段部が形成されている。
第２の可動接点５が前記回路基板１上に配設される際には、一対の外周縁部５ｂが前記第１のシート４の第２の開口部４ｂを介して前記第３接点部２ｃと常時接触した状態で載置され、中央頂部５ａ下面に設けられた突起５ｃが前記第１のシート４の第１の開口部４ａを介して第１の可動接点３の中央頂部３ａ上面と一定の空隙を持って対向して配置されるものとなる。また、短手方向の外周縁部と、第１のシート４の開口部４ａ、４ｂとは対向しておらず、第１のシート４の表面によって第２の可動接点５の抜け落ちが防止されている。
【００２４】
また、このように、前記第２の可動接点５の外形を略楕円状に形成して、互いの幅狭方向に沿って回路基板１上に配設するようにすれば、縦方向の配列ピッチを狭くすることが可能となり、スイッチの小型化が図れるものとなる。
【００２５】
第２のシート６は、同じくポリイミド等からなるフィルム状の絶縁材から形成されており、この第２のシート６の下面側には一面に粘着層（図示せず）が形成されている。また、この第２のシート６は、前記第１のシート４に比べて外形が小さく形成されており、前記粘着層に前記第２の可動接点５のドーム部の上面側が貼着されている。
【００２６】
そして、第２の可動接点５が貼着された前記第２のシート６が、前記第１のシート４の上面側に取付けられて第２の可動接点５が第１のシート４上に一体化されている。この時、第２の可動接点５は、前記第１の可動接点３の上方に一定の空隙を保持して対向して配置されており、前記第１のシート４の第２の開口部４ｂから、第２の可動接点５の外周縁部５ｂが露出した状態となっている。
【００２７】
本発明の可動接点付シートは、上記した構成となっており、前記第１のシート４に、前記第１の可動接点３の中央頂部３ａが露出可能な第１の開口部４ａを形成して、この第１の開口部４ａを介して前記第１の可動接点３の中央頂部３ａの上面と、前記第２の可動接点５の中央頂部５ａの下面に設けられた突起５ｃとを接触可能に対向させて配置すると共に、前記第１の開口部４ａの外周に、前記第２の可動接点５の外周縁部５ｂが露出可能な第２の開口部４ｂを形成して、前記第２の可動接点５の外周縁部５ｂを、この第２の開口部４ｂに一致させた状態で、前記第２の可動接点５を前記第１のシート４の上面側に、前記第２のシート６の粘着層によって貼着して保持させることにより可動接点付シートとしてシート状に一体化させたものとなっている。
【００２８】
また、この時、前記第２の可動接点５は、その外周縁部５ｂを前記第２の開口部４ｂから前記第１のシート４の下面側へ貫通させて延出させた状態で形成しており、こうすることにより、固定接点２に段差のない回路基板１を用いた場合においても、上側の第２の可動接点５と固定接点２との接触を確実に行なえるものとなっている。
【００２９】
尚、図示はしないが、前記第１のシート４の下面に形成した粘着層を利用して、前記第１の可動接点３及び第２の可動接点５と、前記第２のシート６とを一体として剥離可能なように、前記第１のシート４に形成した粘着層により剥離シート（図示せず）に貼着することで保持するようにしても良い。
このようにすれば、可動接点付シートの搬送や組立て作業における取り扱いを容易に行なえるものとなる。
【００３０】
次に、図３及び図４を用いて上記構成の可動接点付シートの動作を説明する。
まず、初期状態（図２参照）においては、回路基板１に設けられた固定接点２は、第２接点部２ｂが第１の可動接点３の外周縁部３ｂと接続されているが、第１接点部２ａが第１の可動接点３の中央頂部３ａとは離間しており、下側の２段スイッチ用の接点部はオフ状態となっている。
また、この時、第３接点部２ｃが第２の可動接点５の外周縁部５ｂと接続されているが、その中央頂部５ａの下面の突起５ｃが第２接点部２ｂに接続されている第１の可動接点３の中央頂部３ａとは離間しており、上側の１段スイッチ用の接点部もオフ状態となっている。
【００３１】
この状態から、図３に示すように、可動接点付シートが押圧（第２のシート６の上面側が押圧）されると、第２の可動接点５が下方へ撓んで（あるいは反転して）クリック感触を発生し、中央頂部５ａの下面の突起５ｃが、第１のシート４の第１の開口部４ａを介して下側に配置された第１の可動接点３の中央頂部３ａの上面に当接する。この当接により、固定接点２の第２の接点部２ｂと第３の接点部２ｃとが第１及び第２の可動接点３、５を介して接続されるものとなり、上側の１段スイッチ用の接点部がオン状態となる。
【００３２】
次に、図４に示すように、更に可動接点付シートが押圧されると、更に第２の可動接点５が下方へ撓んで、中央頂部５ａの下面の突起５ｃが、第１の可動接点３の中央頂部３ａを下方へ押圧することにより、第１の可動接点３が下方へ撓んで（あるいは反転して）クリック感触を発生し、中央頂部３ａの下面が対向して配設された固定接点２の第１接点部２ａと当接する。この当接により、固定接点２の第１の接点部２ａと第２の接点部２ｂとが第１の可動接点３を介して接続されるものとなり、下側の２段スイッチ用の接点部もオン状態となる。
【００３３】
この時、固定接点２は、第１の可動接点３及び第２の可動接点５を介して、第１接点部２ａと第２接点部２ｂと第３接点部２ｃとが互いに電気的に接続されるものとなっている。
このように、第１及び第２の可動接点３、５が一体に貼着された上記構成の可動接点付シートを、固定接点２が配設された回路基板１上に、第１及び第２の可動接点３、５と固定接点２とを対向させて積層するだけで所望の２段スイッチを得ることができるので、２段スイッチを備えた入力装置の組立を簡単に行なうことができるものとなっている。
【００３４】
尚、上記実施例では、第２の可動接点５を、略楕円状に形成してドーム状の膨出部の中央頂部５ａを挟んで円弧状をした一対の外周縁部５ｂ、５ｂを設け、この一対の外周縁部５ｂ、５ｂを、第１のシート４の第１の開口部４ａの外周にそれぞれ対向して形成した一対の円弧状の第２の開口部４ｂ、４ｂを介して延出させ、下側に配設された固定接点２の第３接点部と接続させるようにしたが、これに限らず、第２の可動接点５を、円形ドーム状とし、複数（例えば４個）の脚部を有する十字状に形成すると共に、第１のシート４に複数（例えば４個）の第２の開口部４ｂを形成して、これらの脚部の外周縁部をそれぞれの第２の開口部４ｂを介して延出するようにしても良い。
【００３５】
また、上記実施例では、基台としての前記回路基板１をフェノール樹脂積層板等からなる平板状の基板で形成して表面に導電性の銅箔等の金属材料を配設するようにしたが、これに限らず、合成樹脂等の絶縁材で平板状あるいは箱型のハウジング状に形成しても良く、この場合には、前記固定端子２を導電性の金属板で形成して、金属板表面が内底面に表出するようにインサート成形などの方法で一体に埋設して接点部を形成するようにしても良い。
【００３６】
図５は、上記構成の可動接点付シートを使用したシートタイプのスイッチを示している。
図において、回路基板１１はやや大きめの長方形に形成され、この回路基板１１には複数の固定接点が配設されている。この固定接点は、１段スイッチ用の固定接点１２、及び２段スイッチ用の固定接点１３とが混載された状態で形成されている。本実施例においては、中央の１箇所のみに２段スイッチ用の固定接点１３が形成されており、他は全て１段スイッチ用の固定接点１２が形成されている。
【００３７】
第１のシート１４は同じくやや大きめの長方形に形成され、この第１のシート１４には、中央に２段スイッチ用の第２の可動接点５が取り付けられる第１及び第２の開口部１４ａ、１４ｂが形成されている。この第１及び第２の開口部１４ａ、１４ｂの上面側に、第２の可動接点５が貼着された第２のシート６が取付けられるものとなっている。
【００３８】
また、第１のシート１４の下面側には一面に粘着層（図示せず）が形成されており、この粘着層によって複数の第１の可動接点３が貼着されている。そして、この第１のシート１４の中央に貼着される第１の可動接点３の中央頂部３ａの上面が、前記第１の開口部１４ａから露出した状態で取り付けられており、この第１の可動接点３の中央頂部３ａの上面側に第２の可動接点５の中央頂部５ａの下面側が一定の空隙を保持した状態で対向して取り付けられている。
【００３９】
そして、中央に配設された第１及び第２の可動接点３、５と固定接点１３によって、２段スイッチ操作が可能な２段スイッチが形成され、その周辺に配置された複数の第１の可動接点３と固定接点１２によって、１段スイッチ操作が可能な１段スイッチが形成されるものとなっている。
【００４０】
尚、上記構成では、２段スイッチの一部を形成する第２の可動接点５及び第２のシート６を、第１のシート１４の中央にのみ形成するようにしたが、適宜、第１のシート１４の所望の箇所に前記第１及び第２の開口部１４ａ、１４ｂを設けて、これらの第１及び第２の開口部１４ａ、１４ｂの上面側に、第２の可動接点５が貼着された複数の第２のシート６を取付けるようにしても良い。
【００４１】
また、１段スイッチ操作が可能な１段スイッチには、第２の可動接点５よりも外形が一回り小さな円形の第１の可動接点３を設けるようしたが、これに限らず、第２の可動接点５と同様な大きさの可動接点を用いるようにしても良く、外形も楕円状に形成しても良い。
【００４２】
このように、第１のシート１４の下面側に第１の可動接点３を複数個保持すると共に、第２の可動接点５を保持する第２のシート６を、第１の可動接点３を保持した第１のシート１４の上面に対応させて部分的に設けるようにしたことから、２段スイッチ用の第２の可動接点５と、１段スイッチ用の第１の可動接点３を共通の第１のシート１４に混載できるので、シートタイプのスイッチの組み込みが容易に行なえるものとなっている。
また、２段スイッチ用の第２の可動接点５の保持用の第２のシート６を、適宜、第１のシート１４の所望の箇所に部分的に設けるようにしたので、１段スイッチ用の第１の可動接点３の上面のシートの厚みが増すことによる操作フィーリングの劣化を防止できるものとなっている。
【００４３】
上記した本発明の実施例によれば、前記第１のシート４、１４に、第１の可動接点３の一部が露出可能な第１の開口部４ａ、１４ａを設け、この第１の開口部４ａ、１４ａを介して第１の可動接点３と第２の可動接点５とを接触可能に対向させると共に、この第１の開口部４ａ、１４ａの外周に第２の可動接点５の外周縁部５ｂが露出可能な第２の開口部４ｂ、１４ｂを設け、第２の可動接点５の外周縁部５ｂをこの第２の開口部４ｂ、１４ｂに一致させた状態で、第２の可動接点５を第１のシート４、１４の上面側に第２のシート６で保持させるようにしたことから、２段スイッチ用の下側の第１の可動接点３を保持する前記第１のシート４、１４に第１の開口部４ａ、１４ａを設け、第１のシート４、１４の上面側に保持した上側の第２の可動接点５を、この第１の開口部４ａ、１４ａを介して第１の可動接点３と接触可能に保持すると共に、その外周縁部３ｂを第２の開口部４ｂ、１４ｂを介して第１のシート４、１４の下側へ露出させたので、第１のシート４、１４の第１及び第２の開口部４ａ、１４ａ及び４ｂ、１４ｂを介して上側の第２の可動接点５と、下側の第１の可動接点３及び第１のシート４、１４の下面側に配設される回路基板１、１１の固定接点２、及び１２、１３との接触を確実に行なえると共に、２段スイッチ操作が可能な可動接点付シートを提供できるものとなっている。
また、共通の第１のシート４、１４に、上側及び下側の第１及び第２の可動接点３、５を一体的に保持できるので、スイッチの組立が容易に行なえるものとなっている。
【図面の簡単な説明】
【００４４】
【図１】本発明の可動接点付シートを示す分解斜視図である。
【図２】本発明の可動接点付シートを示す要部断面図である。
【図３】本発明の可動接点付シートの１段目用スイッチの動作状態を示す要部断面図である。
【図４】本発明の可動接点付シートの２段目用スイッチの動作状態を示す要部断面図である。
【図５】本発明の可動接点付シートを使用したシートタイプのスイッチを示す分解斜視図である。
【図６】従来の２段スイッチを示す分解斜視図である。
【図７】従来の図６のＸ−Ｘ線における断面図である。
【図８】従来の接点パターンを示す要部上面図である。
【符号の説明】
【００４５】
１：回路基板（基台）
２：固定接点
２ａ：第１接点部
２ｂ：第２接点部
２ｃ：第３接点部
３：第１の可動接点
３ａ：中央頂部
３ｂ：外周縁部
４：第１のシート
４ａ：第１の開口部
４ｂ：第２の開口部
５：第２の可動接点
５ａ：中央頂部
５ｂ：外周縁部
５ｃ：突起
６：第２のシート
１１：回路基板
１２：固定接点
１３：固定接点
１４：第１のシート
１４ａ：第１の開口部
１４ｂ：第２の開口部
【図１】
2005259460.tif 000003
【図２】
2005259460.tif 000004
【図３】
2005259460.tif 000005
【図４】
2005259460.tif 000006
【図５】
2005259460.tif 000007
【図６】
2005259460.tif 000008
【図７】
2005259460.tif 000009
【図８】
2005259460.tif 000010